(57)【特許請求の範囲】
【請求項１】
下面開口で略箱状の上ケースと、この上ケース上面から操作部が突出した弾性操作体と、上記操作部の操作によって電気的接離を行うスイッチ接点と、このスイッチ接点の電気的接離に応じて、送信手段からリモコン信号を送信する制御手段と、上記制御手段が形成された配線基板と、上記上ケース下面を覆う下ケースからなり、上記弾性操作体に上記配線基板の下面に接して延出し上記下ケースに弾接する緩衝部を設けたリモコン送信機。
【請求項２】
上記弾性操作体には上記配線基板の上面に接するベース部をさらに設け、上記配線基板が上記ベース部と上記緩衝部を介して上記上ケースと上記下ケースに挟持された請求項１記載のリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器の高機能化が進むなか、これらを遠隔操作するリモコン送信機においても、取り扱いが容易で、確実に操作を行えるものが求められている。
【０００３】
このような従来のリモコン送信機について、図３を用いて説明する。
【０００４】
図３は従来のリモコン送信機の断面図であり、同図において、１は下面開口で略箱状の絶縁樹脂製の上ケース、２はゴム等の弾性操作体で、複数の操作部２Ａが下方に設けられた略ドーム状の薄肉部２Ｂによって、ベース部２Ｃに上下動可能に連結形成されると共に、操作部２Ａ上面が上ケース１上面の貫通孔から上方へ突出している。
【０００５】
また、３は上下面に複数の配線パターン（図示せず）が形成された配線基板で、この上面に弾性操作体２が載置されると共に、配線基板３上面には、各操作部２Ａ下面に形成されたカーボン等の可動接点４Ａと、所定の間隙を空けて対向する複数の固定接点４Ｂが設けられて、複数のスイッチ接点が形成されている。
【０００６】
そして、配線基板３上下面には、発光ダイオード等の電子部品によってリモコン信号を送信する送信手段５や、配線パターンを介して送信手段５や固定接点４Ｂ等に接続された、マイコン等の制御手段６が形成されている。
【０００７】
さらに、７は絶縁樹脂製の下ケースで、この下ケース７底面から突出した複数のボス７Ａと、上ケース１のリブ１Ａによって配線基板３が挟持されると共に、下ケース７が上ケース１下面を覆い、ねじ（図示せず）等によって下ケース７と上ケース１が締付され固着されて、リモコン送信機が構成されている。
【０００８】
以上の構成において、リモコン送信機を操作する電子機器に向け、所定の操作部２Ａを押圧操作すると、略ドーム状の薄肉部２Ｂが弾性変形して操作部２Ａが下方へ移動し、この下面の可動接点４Ａが固定接点４Ｂに接触して、スイッチ接点の電気的接離が行われる。
【０００９】
そして、この電気的接離に応じて制御手段６が、送信手段５から赤外線のリモコン信号を電子機器へ送信し、例えば、テレビの電源の入／切や音量の増減等が遠隔操作によって行われる。
【００１０】
つまり、制御手段６が複数のスイッチ接点の電気的接離によって、どの操作部２Ａが押圧操作されたかを検出し、この操作に応じたリモコン信号を送信手段５から送信することによって、機器の様々な遠隔操作を行うように構成されているものであった。
【００１１】
なお、この出願の発明に関連する先行技術文献情報としては、例えば、特許文献１が知られている。
【特許文献１】特開２００５−１１００９３号公報
【発明の開示】
【発明が解決しようとする課題】
【００１２】
しかしながら、上記従来のリモコン送信機においては、操作の際、誤ってリモコン送信機を落とした場合、配線基板３が下ケース７のボス７Ａと上ケース１のリブ１Ａによって挟持されているため、この落下の衝撃が送信手段５や制御手段６が形成された配線基板３に伝わり、これが繰返されるとスイッチ接点の電気的接離や、送信手段５や制御手段６の電気的接続が不安定なものになってしまうという課題があった。
【００１３】
本発明は、このような従来の課題を解決するものであり、配線基板への衝撃を緩和し、確実な操作が可能なリモコン送信機を提供することを目的とする。
【課題を解決するための手段】
【００１４】
上記目的を達成するために本発明は、上ケース上面から操作部が突出した弾性操作体に、配線基板の下面に接して延出し上ケース下面を覆う下ケースに弾接する緩衝部を設けてリモコン送信機を構成したものであり、弾性操作体に一体に設けた緩衝部によって、落下時の配線基板への衝撃を緩和できるため、スイッチ接点や制御手段等の安定した電気的動作が行え、確実な操作が可能なリモコン送信機を得ることができるという作用を有するものである。
【発明の効果】
【００１５】
以上のように本発明によれば、落下時の衝撃を緩和し、確実な操作が可能なリモコン送信機を実現できるという有利な効果が得られる。
【発明を実施するための最良の形態】
【００１６】
以下、本発明の実施の形態について、図１及び図２を用いて説明する。
【００１７】
なお、背景技術の項で説明した構成と同一構成の部分には同一符号を付して、詳細な説明を簡略化する。
【００１８】
（実施の形態）
図１は本発明の一実施の形態によるリモコン送信機の断面図であり、同図において、１１は下面開口で略箱状のポリスチレンやＡＢＳ等の絶縁樹脂製の上ケース、１２はゴムやエラストマー等の弾性操作体で、複数の操作部１２Ａが下方に設けられた略ドーム状の薄肉部１２Ｂによって、ベース部１２Ｃに上下動可能に連結形成されると共に、操作部１２Ａ上面が上ケース１１上面の貫通孔から上方へ突出している。
【００１９】
また、３は紙フェノールやガラス入りエポキシ等の配線基板で、上下面に銅箔等によって複数の配線パターン（図示せず）が形成され、この上面に弾性操作体１２が載置されると共に、配線基板３上面には、各操作部１２Ａ下面に形成されたカーボン等の可動接点４Ａと、所定の間隙を空けて対向する複数の固定接点４Ｂが設けられて、複数のスイッチ接点が形成されている。
【００２０】
そして、配線基板３上下面には、発光ダイオード等の電子部品によってリモコン信号を送信する送信手段５や、配線パターンを介して送信手段５や固定接点４Ｂ等に接続された、マイコン等の制御手段６が形成されている。
【００２１】
また、１７は絶縁樹脂製の下ケースで、この下ケース１７が上ケース１１下面を覆い、ねじ（図示せず）等によって下ケース１７と上ケース１１が締付され固着されている。
【００２２】
さらに、弾性操作体１２には薄肉の連結部１２Ｄによって、ベース部１２Ｃに一体に形成された緩衝部１２Ｅが設けられると共に、連結部１２Ｄから折曲されて制御手段６を覆った緩衝部１２Ｅが配線基板３下面に延出し、下方へ突出した複数の当接部１２Ｆが、下ケース１７底面にやや撓んだ状態で弾接している。
【００２３】
そして、上ケース１１下面には下方へ突出した複数のリブ１１Ａが設けられると共に、このリブ１１Ａが弾性操作体１２のベース部１２Ｃに弾接し、配線基板３がベース部１２Ｃと緩衝部１２Ｅの当接部１２Ｆを介して、上ケース１１と下ケース１７に挟持されて、リモコン送信機が構成されている。
【００２４】
以上の構成において、リモコン送信機を操作する電子機器に向け、所定の操作部１２Ａを押圧操作すると、略ドーム状の薄肉部１２Ｂが弾性変形して操作部１２Ａが下方へ移動し、この下面の可動接点４Ａが固定接点４Ｂに接触して、スイッチ接点の電気的接離が行われる。
【００２５】
そして、この電気的接離に応じて制御手段６が、送信手段５から赤外線のリモコン信号を電子機器へ送信し、例えば、テレビの電源の入／切や音量の増減等が遠隔操作によって行われる。
【００２６】
つまり、制御手段６が複数のスイッチ接点の電気的接離によって、どの操作部１２Ａが押圧操作されたかを検出し、この操作に応じたリモコン信号を送信手段５から送信することによって、機器の様々な遠隔操作を行うように構成されている。
【００２７】
さらに、弾性操作体１２に一体に形成された緩衝部１２Ｅの、当接部１２Ｆが下ケース１７底面に弾接すると共に、上ケース１１のリブ１１Ａがベース部１２Ｃに弾接しているため、操作の際、誤ってリモコン送信機を落とした場合でも、これらが落下時の衝撃を緩和し、配線基板３に衝撃が加わりづらいようになっている。
【００２８】
つまり、送信手段５や制御手段６が形成された配線基板３が、緩衝部１２Ｅの当接部１２Ｆとベース部１２Ｃを介して、下ケース１７と上ケース１１に挟持されているため、これらによって落下時の配線基板３への衝撃が緩和され、スイッチ接点や制御手段６等に衝撃が加わることを防ぎ、安定した操作が行えるように構成されている。
【００２９】
このように本実施の形態によれば、上ケース１１上面から操作部１２Ａが突出した弾性操作体１２に、上ケース１１下面を覆う下ケース１７に弾接する緩衝部１２Ｅを設けることによって、落下時の配線基板３への衝撃を緩和できるため、スイッチ接点や制御手段６等の安定した電気的動作が行え、確実な操作が可能なリモコン送信機を得ることができるものである。
【００３０】
なお、以上の説明では、連結部１２Ｄによって弾性操作体１２に一体に形成された緩衝部１２Ｅを、下方へ折曲して下ケース１７に弾接させた構成について説明したが、図２の断面図に示すように、弾性操作体１２のベース部１２Ｃに下方へ突出する複数の緩衝部１２Ｇを設けると共に、これを配線基板３の貫通孔を挿通させて、下ケース１７底面に弾接させる構成としても、本発明の実施は可能である。
【産業上の利用可能性】
【００３１】
本発明によるリモコン送信機は、落下時の衝撃を緩和し、確実な操作が可能なものが得られ、主に各種電子機器の操作用として有用である。
【図面の簡単な説明】
【００３２】
【図１】本発明の一実施の形態によるリモコン送信機の断面図
【図２】同他の実施の形態による断面図
【図３】従来のリモコン送信機の断面図
【符号の説明】
【００３３】
３  配線基板
４Ａ  可動接点
４Ｂ  固定接点
５  送信手段
６  制御手段
１１  上ケース
１１Ａ  リブ
１２  弾性操作体
１２Ａ  操作部
１２Ｂ  薄肉部
１２Ｃ  ベース部
１２Ｄ  連結部
１２Ｅ、１２Ｇ  緩衝部
１２Ｆ  当接部
１７  下ケース
【図１】
0004821420.tif 000002
【図２】
0004821420.tif 000003
【図３】
0004821420.tif 000004